(57)【要約】【課題】誘導コイル装置の温度上昇を抑制するとともに、誘導コイル装置の発熱体への着脱を容易に行うことのできる電磁誘導加熱器を提供すること。【解決手段】鉄心４とこの鉄心４に絶縁電線を巻回したコイル５とにより本体を作成し、この本体を成形型内に入れてコイル５の半周囲外面に熱伝導性を有する耐熱絶縁樹脂を注入し、コイル５の半周囲外面に熱伝導性を有する耐熱絶縁層６を形成してなる誘導コイル装置を、誘導電流により発熱する発熱体７の円筒状の中空部に耐熱絶縁層６の外周囲面を中空部の内周面に当接して設置する。誘導コイル装置が発生した熱を耐熱絶縁層６を介して発熱体へ放出する一方、耐熱絶縁層６のない誘導コイル装置の周囲外面と、発熱体７の中空部の内周面との間の空隙８により、誘導コイル装置の発熱体７の中空部への着脱が容易となる。【選択図】    図２
2005011561.tif 000002
【特許請求の範囲】
【請求項１】
鉄心にコイルを巻回してなる誘導コイル装置と、前記誘導コイル装置を設置する中空部を有し、前記中空部に設置した誘導コイル装置で発生する磁気と結合して発熱する発熱体とを備えてなる電磁誘導加熱器において、前記誘導コイル装置の周囲外面の一部を、熱伝導性を有する耐熱絶縁性部材を介して前記中空部に設置してなることを特徴とする電磁誘導加熱器。
【請求項２】
発熱体が導電性の筒体であることを特徴とする請求項１に記載の電磁誘導加熱器。
【請求項３】
誘導コイルの周囲外面の一部を、熱伝導性を有する耐熱絶縁樹脂で成形してなることを特徴とする請求項１又は請求項２に記載の電磁誘導加熱器。
【発明の詳細な説明】
【０００１】
【発明の属する技術分野】
本発明は電磁誘導加熱器、詳しくは誘導コイルの発熱体への設置構造に関するものである。
【０００２】
【従来の技術】
導電性の筒体や筒状の中空部を形成した導電性の金属板の中空内部に、鉄心に導線を巻回してなる誘導コイル装置を収納し、導電性の筒体や金属板を発熱体、あるいは筒体や金属板そのものを加熱対象とした電磁誘導加熱器は良く知られている。図３はこのような電磁誘導加熱器の一例の構成を示すもので、図３（ａ）に示すように電磁誘導加熱器は、ホットプレートや紡糸装置の保温枠（たとえば特開２００１−１３１８１９号公報参照）などの導電性の金属板１に形成した筒状の中空部１ａ内に、固定板３ａに固定した誘導コイル装置２を挿入して固定板３ｂに固定して構成されている。誘導コイル装置２は、図３（ｂ）に示すように鉄心２ａとこの鉄心２ａに導線を巻回したコイル２ｂとにより構成されている。なお、導電性の金属板に代え導電性の筒体とし、たとえば油や水などの液体を加熱する容器に設置される場合もある。
【０００３】
この電磁誘導加熱器による加熱は、コイルに交流電流を通流すると、この交流電流により発生する交番磁束と導電性金属板あるいは筒体が鎖交し、導電性金属板あるいは筒体に誘導電流が発生し、この電流により導電性金属板あるいは筒体がジュール発熱し、その熱を加熱物に伝達して加熱する。
【０００４】
ところで、このような電磁誘導加熱器では、誘導コイル装置自体が胴損や鉄損により発熱し、この熱の蓄積によって誘導コイル装置が破損する場合がある。この破損を防ぐために誘導コイル装置を導電性の発熱筒体に収納し、筒体の内周面と誘導コイル装置の外周面との間に隙間なく熱伝導性を有するモールド樹脂を充填し、誘導コイル装置自体が発生した熱を、モールド樹脂層を介して発熱筒体へ放出することが考えられている。
【０００５】
【特許文献】
特公平６−６８９９３号公報
【０００６】
【発明が解決しようとする課題】
しかし、筒状中空の内周面と誘導コイル装置の外周面との間に隙間なく熱伝導性を有するモールド樹脂を充填する構成では、誘導コイル装置の温度上昇を防ぐことができるが、誘導コイル装置の着脱が容易でなく、誘導コイル装置の保守・点検や交換が極めて困難であるという問題がある。
【０００７】
本発明は、このような問題に鑑みなされたもので、誘導コイル装置の温度上昇を抑制するとともに、誘導コイル装置の発熱体への着脱を容易に行うことのできる電磁誘導加熱器を提供することを目的とする。
【０００８】
【課題を解決するための手段】
請求項１に係る本発明は、鉄心にコイルを巻回してなる誘導コイル装置と、前記誘導コイル装置を設置する中空部を有し、前記中空部に設置した誘導コイル装置で発生する磁気と結合して発熱する発熱体とを備えてなる電磁誘導加熱器において、前記誘導コイル装置の周囲外面の一部を、熱伝導性を有する耐熱絶縁性部材を介して前記中空部に設置してなることを特徴とする。
【０００９】
請求項２に係る本発明は、請求項１に係る本発明において、発熱体が導電性の筒体であることを特徴とし、請求項３に係る本発明は、請求項１又は請求項２に係る本発明において、誘導コイルの周囲外面の一部を熱伝導性を有する耐熱絶縁樹脂で成形してなることを特徴とする。
【００１０】
本発明では、誘導コイル装置自体が発生した熱を熱伝導性を有する耐熱絶縁性部材を介して発熱体へ放出する。一方、耐熱絶縁性部材を介しない誘導コイル装置の周囲外面と、この周囲外面と対向する発熱体の中空部の内周面との間は空隙とするので、誘導コイル装置の発熱体の中空部への着脱をこの空隙を利用することにより容易に行うことができる。
【００１１】
【発明の実施の形態】
以下、本発明の実施形態について図を参照して説明する。図１は本発明の一実施形態に係る誘導コイル装置の構成を示す斜視図、図２は本発明の一実施形態に係る電磁誘導加熱器の構成を示す斜視図である。図１において、４は鉄心、５はコイル、６は熱伝導性を有する耐熱絶縁層である。
【００１２】
誘導コイル装置は、鉄心４とこの鉄心４に線径４ｍｍのアルマイト処理絶縁電線を巻回したコイル５とにより本体を作成し、この本体を成形型内に入れてコイル５の半周囲外面に高耐熱性シリコーン熱硬化樹脂を注入し、コイル５の半周囲外面に熱伝導性を有する耐熱絶縁層６を形成することにより作成される。なお、電線は線径４ｍｍに限られるものではなく通電する電流に応じた適宜の線径でよい。また、熱伝導性を有する耐熱絶縁層も高耐熱性シリコーン熱硬化樹脂に限られるものではなく、熱伝導性を有する耐熱絶縁部材であればいかなるものでもよい。さらに、耐熱絶縁層６はコイル５の半周囲以下の外面に形成するようにしてもよい。
【００１３】
このように構成した誘導コイル装置を用いて一つの電磁誘導加熱器とする場合、図２に示すようにアルミニュウムや銅などの導電性を有する発熱体となる円筒７の中空部に誘導コイル装置を挿入し、その中空部に誘導コイル装置を設置する。円筒７の内径は誘導コイル装置の最大外径とほぼ等しくされ、誘導コイル装置に形成された熱伝導性を有する耐熱絶縁層６の外周囲全面を円筒７の内周面に当接し、熱伝導性を有する耐熱絶縁層６が形成されていないコイル５の外周囲面とこの外周囲面と対向する筒７の内周面との間に空隙８が形成される。
【００１４】
この電磁誘導加熱器の使用時、誘導コイル装置が発生した熱を耐熱絶縁層６を介して円筒７へ伝達される。たとえばこの電磁誘導加熱器を用いて水を沸騰させる場合には、円筒７の温度は１００℃以下であるのに対して、誘導コイル装置の温度は１００℃以上となる。この温度差を利用して誘導コイル装置の熱を円筒７へ放出する。また、誘導コイル装置の円筒７内への挿脱は、空隙８が利用でき耐熱絶縁層６を円筒７の内周面から適宜離すなどして接触抵抗を小さくすることができ、その挿脱を容易に行うことができる。
【００１５】
なお、以上の実施の形態では円筒内に誘導コイル装置を設置して電磁誘導加熱器を構成しているが、ホットプレートや保温枠などの導電性の発熱体となる金属板に形成した筒状の中空部内に、誘導コイル装置あるいは誘導コイル装置を設置した円筒を挿入して電磁誘導加熱器を構成しても同様の作用効果を享受できる。また、誘導コイル装置を設置した円筒をたとえば油や水などの液体を加熱する容器内に設置するようにしてもよい。
【００１６】
【発明の効果】
以上説明したように本発明によれば、誘導コイル装置の発熱体への挿脱が容易であることにより誘導コイル装置の保守・点検や交換を簡単に行うことができる。また、誘導コイル装置が発生する熱を、熱伝導性を有する耐熱絶縁層を介して発熱体に放出できるので、誘導コイル装置の耐熱温度を低くすることができ、電磁誘導加熱器に要するコストを低減することができる。
【図面の簡単な説明】
【図１】本発明の一実施形態に係る誘導コイル装置の構成を示す斜視図である。
【図２】本発明の一実施形態に係る電磁誘導加熱器の構成を示す斜視図である。
【図３】電磁誘導加熱器の構成を示す斜視図である。
【符号の説明】
１    金属板
１ａ  中空部
４    鉄心
５    コイル
６    熱伝導性を有する耐熱絶縁層
７    円筒発熱体
８    空隙
【図１】
2005011561.tif 000003
【図２】
2005011561.tif 000004
【図３】
2005011561.tif 000005